(57)【要約】【課題】  予備点灯状態から点灯状態に切り替わったときに光源の光量を速やかに読み取りに必要な光量にまで増加させることができる画像読取装置を提供する。【解決手段】  冷陰極管と、冷陰極管を点灯駆動するインバータと、冷陰極管からの光で照明された原稿を読み取り電気信号に変換するＣＣＤイメージセンサと、温度を検出するサーミスタと、サーミスタで検出された温度に基づきインバータを制御するスキャナ機構制御回路とを備える。冷陰極管の予備点灯時に、サーミスタにより検出された温度が低温、中温、高温のいずれであるか判定し、冷陰極管への点灯印加電圧として、低温のときは印加電圧Ｖ１を、中温のときは印加電圧Ｖ２を、高温のときは印加電圧Ｖ３をそれぞれ選択し、各々の印加電圧Ｖ１，Ｖ２，Ｖ３で冷陰極管を点灯駆動する。【選択図】      図３
2005184171.tif 000002
【特許請求の範囲】
【請求項１】
光源と、光源を点灯駆動する点灯駆動手段と、光源からの光で照明された原稿を読み取り電気信号に変換する光電変換手段とを備えた画像読取装置において、
温度を検出する温度検出手段と、温度検出手段で検出された温度に基づき点灯駆動手段を制御する制御手段を備え、制御手段は、光源の予備点灯時の点灯駆動状態を温度に基づいて制御することを特徴とする画像読取装置。
【請求項２】
光源と、光源を点灯駆動する点灯駆動手段と、光源からの光で照明された原稿を読み取り電気信号に変換する光電変換手段とを備えた画像読取装置において、
前回の原稿の読み取り終了後からの経過時間を計時する計時手段と、計時手段で計時された時間に基づき点灯駆動手段を制御する制御手段を備え、制御手段は、光源の予備点灯時の点灯駆動状態を時間に基づいて制御することを特徴とする画像読取装置。
【請求項３】
光源と、光源を点灯駆動する点灯駆動手段と、光源からの光で照明された原稿を読み取り電気信号に変換する光電変換手段とを備えた画像読取装置において、
温度を検出する温度検出手段と、前回の原稿の読み取り終了後からの経過時間を計時する計時手段と、温度検出手段で検出された温度及び計時手段で計時された時間に基づき点灯駆動手段を制御する制御手段を備え、制御手段は、光源の予備点灯時の点灯駆動状態を温度及び時間に基づいて制御することを特徴とする画像読取装置。
【発明の詳細な説明】
【技術分野】
【０００１】
この発明は、光源として例えば蛍光管や冷陰極管を用いた複写機、ファクシミリ装置、複写機能とファクシミリ機能を併有する複合機等に用いられる画像読取装置に関する。
【背景技術】
【０００２】
画像読取装置で原稿を照明する光源として蛍光管や冷陰極管を用いる場合には、消灯した状態から点灯し、原稿の読み取りに十分な光量に達するまでに時間が掛かる問題がある。このような問題を解決するためには、１つには常時点灯状態にしておく方法（例えば、特許文献１参照）や、待機時に印加する電圧や周波数を下げて予備点灯状態に保持する方法（例えば、特許文献２参照）がある。
【０００３】
特許文献１記載の技術では、スタンバイモード以外の非読み取り時には、冷陰極管を点灯し続けることで読み取り開始時に待ち時間を設ける必要を無くす一方、スタンバイモードでは、冷陰極管を消灯し、省電力としている。
【０００４】
特許文献２記載の技術では、例えば１日１度、先週の同曜日の使用頻度を参考にして予備点灯ＯＮ、ＯＦＦの時間帯を自動的に決定・更新したり、１日１度、先週の同曜日の使用頻度を参考にして２段階のデューティ比での予備点灯ＯＮの時間帯を自動的に決定・更新したり、１日１度、先週の同曜日の使用頻度を参考にしてランプ寿命と装置寿命の差を考慮した予備点灯ＯＮの時間帯を自動的に決定・更新したりしている。
【特許文献１】特開２００２−１３５５３６号公報
【特許文献２】特開平１０−３３６３９０号公報
【発明の開示】
【発明が解決しようとする課題】
【０００５】
蛍光管・冷陰極管を常時点灯する方法は、電力の無駄であり、また蛍光管・冷陰極管の寿命が短くなるので、予備点灯状態に蛍光管・冷陰極管を保持する技術が主流となっている。
【０００６】
予備点灯状態から読み取りを開始するには、蛍光管・冷陰極管に所定電圧、周波数を印加して光量を必要な値までもっていくのだが、これに要する時間は、環境温度の影響を受け、環境温度が低いほど時間が掛かる傾向にある。また、前回の読み取りが終了してからの経過時間の影響を受け、経過時間が長いと蛍光管・冷陰極管の温度が低下するため、時間が掛かる傾向がある。
【０００７】
この発明は、そのような問題点に着目してなされたもので、予備点灯状態から点灯状態に切り替わったときに光源の光量を速やかに読み取りに必要な光量にまで増加させることができる画像読取装置を提供することを目的とする。
【課題を解決するための手段】
【０００８】
前記目的を達成するために、請求項１記載の画像読取装置は、光源と、光源を点灯駆動する点灯駆動手段と、光源からの光で照明された原稿を読み取り電気信号に変換する光電変換手段とを備えたものにおいて、温度を検出する温度検出手段と、温度検出手段で検出された温度に基づき点灯駆動手段を制御する制御手段を備え、制御手段は、光源の予備点灯時の点灯駆動状態を温度に基づいて制御することを特徴とする。
【０００９】
請求項２記載の画像読取装置は、光源と、光源を点灯駆動する点灯駆動手段と、光源からの光で照明された原稿を読み取り電気信号に変換する光電変換手段とを備えたものにおいて、前回の原稿の読み取り終了後からの経過時間を計時する計時手段と、計時手段で計時された時間に基づき点灯駆動手段を制御する制御手段を備え、制御手段は、光源の予備点灯時の点灯駆動状態を時間に基づいて制御することを特徴とする。
【００１０】
請求項３記載の画像読取装置は、請求項１記載の構成と請求項２記載の構成を併有するもので、光源と、光源を点灯駆動する点灯駆動手段と、光源からの光で照明された原稿を読み取り電気信号に変換する光電変換手段とを備えたものにおいて、温度を検出する温度検出手段と、前回の原稿の読み取り終了後からの経過時間を計時する計時手段と、温度検出手段で検出された温度及び計時手段で計時された時間に基づき点灯駆動手段を制御する制御手段を備え、制御手段は、光源の予備点灯時の点灯駆動状態を温度及び時間に基づいて制御することを特徴とする。
【発明の効果】
【００１１】
本発明によれば、光源の予備点灯時の点灯駆動状態（印加電圧又は周波数）を、（環境）温度及び／又は前回読み取り終了後からの経過時間に基づいて制御するので、予備点灯状態から点灯状態に移行した後の光源の明るさを読み取りに必要な明るさに速やかに上げることができる。
【００１２】
特に、請求項３記載の発明によれば、点灯駆動状態を温度と経過時間に基づいて制御するので、装置の環境・使用状況に応じて光源の予備点灯をより適切に制御することができる。
【発明を実施するための最良の形態】
【００１３】
以下、実施の形態により、この発明を更に詳細に説明する。
【００１４】
その実施形態に係る画像読取装置としてのファクシミリ装置の構成例を図１にブロック図で示す。このファクシミリ装置は、ファクシミリ機能とコピー機能を併有する複合機として構成したものである。
【００１５】
このファクシミリ装置は、主制御部としてのＣＰＵ（中央処理装置）１と、ＮＣＵ（網制御回路：Network Control Unit）２と、ＭＯＤＥＭ３と、ＲＯＭ４と、ＲＡＭ５と、画像メモリ６と、表示部７と、操作パネル８と、画像読み取り部９と、プリンタ１０と、ＣＯＤＥＣ（符号化・復号器：Coder and Decoder ）１１とを備え、これら各部がバス１３を介して接続されている。
【００１６】
ＣＰＵ１は、ＲＯＭ４に記憶されたプログラムに従い、この装置を構成する各部を統括制御する。ＮＣＵ２は、ＣＰＵ１により制御されて、通信回線である公衆電話回線網（ＰＳＴＮ）１４との接続を制御するとともに、通信相手先の電話番号（ＦＡＸ番号を含む）に応じたダイヤルパルスを送出する機能、及び着信を検出する機能を有する。
【００１７】
ＭＯＤＥＭ３は、ＩＴＵ（国際電気通信連合）−Ｔ勧告Ｔ．３０、Ｔ．４に従ったファクシミリ伝送制御手順（ファクシミリ通信手順）に基づいて、Ｖ．１７、Ｖ．２７ｔｅｒ、Ｖ．２９等に従った送信データの変調及び受信データの復調を行う。また、ＭＯＤＥＭ３は、ＮＣＵ２を介して公衆電話回線網１４に送出するために、デジタル信号である送信データをアナログの音声信号に変調する機能や、公衆電話回線網１４からＮＣＵ２を介して受信したアナログの音声信号をデジタル信号に復調する機能を有する。
【００１８】
ＲＯＭ４は、この装置全体の動作を制御するためのプログラム等を記憶する。ＲＡＭ５は、ＣＰＵ１による制御に必要なデータ及び制御動作時に一時記憶が必要なデータ等を記憶する。また、ＲＡＭ５は、前回の原稿の読み取り終了後からの経過時間を計時するタイマ（計時手段）５ａを有する。画像メモリ６は、画像読み取り部９で読み取った画像データを符号化し、圧縮状態で記憶する。この画像メモリ６は、符号化圧縮データを記憶する記憶エリアと、この記憶エリアに記憶された画像データを復号して得たイメージデータを記憶する記憶エリアとを有する。
【００１９】
表示部７は、アイコン、キーボタン、データの送受信に必要なメッセージ内容、操作パネル８により入力された電話番号やＦＡＸ番号等を表示する。この表示部７としては、ＬＣＤ（液晶表示装置）が用いられる。操作パネル８は、テンキー、モード切替キー、ワンタッチキー、短縮キー、登録キー、スタートキー、ストップキー等を有する。
【００２０】
画像読み取り部９は、ＣＣＤイメージセンサ（光電変換手段）２１と、ＡＦＥ（アナログフロントエンド）回路２２と、Ａ／Ｄ変換部２３と、スキャナ画像処理回路２４と、スキャナ機構制御回路（制御手段）２５と、温度検出手段としてのサーミスタ２６と、インバータ（点灯駆動手段）２７と、光源としての冷陰極管２８とを備えている。
【００２１】
ＣＣＤイメージセンサ２１は、冷陰極管２８からの光で照明された原稿の１走査線の画像を読み取り、所定間隔をおいて、次の走査線画像を順次に読み取る。ＡＦＥ回路２２は、ＣＣＤイメージセンサ２１の出力をアナログ増幅する。Ａ／Ｄ変換部２３は、ＡＦＥ回路２２のアナログ出力をデジタル信号に変換する。スキャナ画像処理回路２４は、入力されたデジタル画像信号に対して、シェーディング補正、ガンマ補正等の画像処理を実行する。
【００２２】
スキャナ機構制御回路２５は、スキャナ機構部のキャリッジモータ（図示せず）を制御するとともに、サーミスタ２６により検出した温度に応じて、インバータ２７から冷陰極管２８に印加する駆動電圧を制御する。
【００２３】
プリンタ１０は、電子写真方式のものであり、受信画像データやコピー動作において画像読み取り部９で読み取った原稿の画像データを記録紙上に記録する。ＣＯＤＥＣ１１は、読み取った画像データを送信又は記憶するために、ＭＨ、ＭＲ、ＭＭＲ方式等により符号化（エンコード）する。また、ＣＯＤＥＣ１１は、圧縮符号化された状態で受信した画像データを、プリンタにより記録するために復号（デコード）する。
【００２４】
このファクシミリ装置の特徴は、冷陰極管２８の予備点灯時の点灯駆動状態（印加電圧又は周波数）を、（環境）温度及び／又は前回読み取り終了後からの経過時間に基づいて制御することである。環境温度と予備点灯印加電圧（デューティ比）との関係は、図２の（ａ）に示すように、環境温度が低いほど印加電圧を下げる。また、読み取り終了後の経過時間と予備点灯印加電圧（デューティ比）との関係は、図２の（ｂ）に示すように、経過時間が長いほど印加電圧を上げる。
【００２５】
次に、冷陰極管２８の予備点灯時の点灯駆動状態を温度に基づいて制御する点について説明する。ここでは、図３（時間と点灯印加電圧との関係を示すグラフ）に示すように、予備点灯時の印加電圧を検出温度に基づき３段階に設定する例を取り上げる。なお、図３において、印加電圧はＶ０＞Ｖ１＞Ｖ２＞Ｖ３である。
【００２６】
予備点灯時は、サーミスタ２６により装置の環境温度が検出され、この検出信号がスキャナ機構制御回路２５に取り込まれる。スキャナ機構制御回路２５は、その温度Ｔが予め設定した温度Ｔ１，Ｔ２（Ｔ１＜Ｔ２）に対して、Ｔ≦Ｔ１であるか〔環境状態(1) 〕、Ｔ１＜Ｔ≦Ｔ２であるか〔環境状態(2) 〕、Ｔ２＜Ｔであるか〔環境状態(3) 〕を判定する。
【００２７】
この判定の結果、環境状態(1) であるときは、環境温度が低温であるとし、予備点灯時の印加電圧Ｖ１を選択する。スキャナ機構制御回路２５は、予備点灯時に印加電圧Ｖ１をインバータ２７により冷陰極管２８に加える。また、環境状態(2) であるときは、環境温度が中温であるとし、予備点灯時の印加電圧Ｖ２を選択し、環境状態(3) であるときは、環境温度が高温であるとし、予備点灯時の印加電圧Ｖ３を選択し、それぞれ予備点灯時に印加電圧Ｖ２，Ｖ３をインバータ２７により冷陰極管２８に加える。
【００２８】
予備点灯時に各環境状態(1),(2),(3) に応じてそれぞれ印加電圧Ｖ１，Ｖ２，Ｖ３を印加しておくことで、予備点灯状態から点灯状態に移行した後の光源（冷陰極管２８）の明るさを読み取りに必要な明るさに速やかに上げることができる。図３の例では、予備点灯状態から点灯状態に移行した直後は一旦、冷陰極管２８に定常点灯電圧Ｖ０よりも高い印加電圧を印加し、その後、定常点灯電圧Ｖ０に戻した時点から画像の読み取りが開始する。
【００２９】
なお、図３の例では、検出温度に基づき環境温度を低温、中温、高温のいずれであるか判定しているが、４段階以上に更に細かく設定してもよいし、又は２段階でもよいし、或いは連続的に検出し、それに応じて印加電圧を連続して制御するようにしてもよい。
【００３０】
一方、冷陰極管２８の予備点灯時の点灯駆動状態を経過時間に基づいて制御する点については、温度の場合と同様に行えばよい。すなわち、ＲＡＭ５のタイマ５ａにより、前回の原稿の読み取り終了後からの経過時間が計時されているので、スキャナ機構制御回路２５は、その経過時間ｔが予め設定した時間ｔ１，ｔ２（ｔ１＜ｔ２）に対して、ｔ≦ｔ１であるか〔経過状態(1) 〕、ｔ１＜ｔ≦ｔ２であるか〔経過状態(2) 〕、ｔ２＜ｔであるか〔経過状態(3) 〕を判定する。
【００３１】
この判定の結果、経過状態(1) であるときは、経過時間が短時間とする。つまり、この場合、前回の原稿の読み取り終了後からそれほど時間が経過しておらず、冷陰極管２８の温度が余り下がっていないと判定する。従って、経過時間が短時間のときは、予備点灯時の印加電圧Ｖ３を選択し、スキャナ機構制御回路２５は、予備点灯時に印加電圧Ｖ３をインバータ２７により冷陰極管２８に加える。また、経過状態(2) であるときは、経過時間が中時間であるとし、予備点灯時の印加電圧Ｖ２を選択する。経過状態(3) であるときは、経過時間が長時間であるとし、前回の原稿の読み取り終了後からかなり時間が経過し、冷陰極管２８の温度が相当低下していると判定し、予備点灯時の印加電圧Ｖ１を選択する。そして、それぞれ予備点灯時に印加電圧Ｖ２，Ｖ３をインバータ２７により冷陰極管２８に加える。
【００３２】
この経過時間に基づく制御においても、経過時間に基づき経過状態を短時間、中時間、長時間のいずれであるか判定しているが、４段階以上に更に細かく設定してもよいし、又は２段階でもよいし、或いは連続的に検出し、それに応じて印加電圧を連続して制御するようにしてもよい。
【００３３】
また、予備点灯時の冷陰極管２８への印加電圧を、温度と経過時間に基づいて制御してもよい。この場合は、ファクシミリ装置の環境・使用状況に応じて光源の予備点灯をより適切に制御することができる。
【図面の簡単な説明】
【００３４】
【図１】実施形態に係るファクシミリ装置（ファクシミリ機能とコピー機能を併有する複合機）の構成例を示すブロック図である。
【図２】同ファクシミリ装置において、環境温度と予備点灯印加電圧（デューティ比）との関係を示すグラフ（ａ）、及び読み取り終了後の経過時間と予備点灯印加電圧（デューティ比）との関係を示すグラフ（ｂ）である。
【図３】同ファクシミリ装置において、予備点灯から画像読み取りまでの時間と光源への点灯印加電圧（デューティ比）との関係を示すグラフである。
【符号の説明】
【００３５】
１      ＣＰＵ
５      ＲＡＭ
５ａ    タイマ（計時手段）
９      画像読み取り部
２１    ＣＣＤイメージセンサ（光電変換手段）
２２    ＡＦＥ（アナログフロントエンド）回路
２３    Ａ／Ｄ変換部
２４    スキャナ画像処理回路
２５    スキャナ機構制御回路（制御手段）
２６    サーミスタ（温度検出手段）
２７    インバータ（点灯駆動手段）
２８    冷陰極管（光源）
【図１】
2005184171.tif 000003
【図２】
2005184171.tif 000004
【図３】
2005184171.tif 000005